(57)【要約】【課題】意匠性を保ちつつ、いずれの方向にも自由に角度調整が可能なモニターの角度調整構造を提供する。【解決手段】意匠用枠体１が表面側に配置され、固定用プレート部材４および取り付けベース３が裏面側に配置されたモニター２の角度調整構造において、モニター２の裏面中央に設けられ、端面に鍔部５１を有した支柱５と、取り付けベース３に形成されたベース側貫通孔および固定用プレート部材に形成されたプレート側貫通孔に支柱５を挿通させた状態で、支柱５の鍔部５１と固定用プレート部材４を付勢する付勢部材６とを備え、モニター２は、付勢部材６の付勢力で支柱５の鍔部５１と固定用プレート部材４により、取り付けベース３に対してスライド自在に保持されるようにしたので、ユーザが自在にモニター２を移動させて、モニター２の角度や位置の調整を容易に行うことができる。【選択図】図５
2013241047.tif 000002
【特許請求の範囲】
【請求項１】
意匠用枠体が表面側に配置され、固定用プレート部材および取り付けベースが裏面側に配置されたモニターの角度調整構造において、
前記意匠用枠体、前記モニター、前記固定用プレート部材および前記取り付けベースの互いに対向する面は、同一中心で径違いの球面でそれぞれ形成されており、
前記モニターの裏面中央に設けられ、端面に鍔部を有した支柱と、
前記取り付けベースに形成された前記支柱よりも径が大きいベース側貫通孔および前記固定用プレート部材に形成されたプレート側貫通孔に前記支柱を挿通させた状態で、前記支柱の鍔部と前記固定用プレート部材を付勢する付勢部材とを備え、
前記モニターは、前記付勢部材の付勢力で前記支柱の鍔部と前記固定用プレート部材により、前記取り付けベースに対してスライド自在に保持される
ことを特徴とするモニターの角度調整構造。
【請求項２】
前記モニターは、前記意匠用枠体の開口サイズより外形が大きいことを特徴とする請求項１記載のモニターの角度調整構造。
【請求項３】
前記意匠用枠体、前記モニター、前記固定用プレート部材および前記取り付けベースの互いが当接する面に介在させた弾性材を備えることを特徴とする請求項１または請求項２記載のモニターの角度調整構造。
【請求項４】
前記付勢部材は、前記支柱の鍔部に対して前記固定用プレート部材を前記取り付けベースの裏面側へ付勢し、
前記モニターは、前記付勢部材により付勢された前記固定用プレート部材との間で前記取り付けベースを挟み込むことで保持される
ことを特徴とする請求項１から請求項３のうちのいずれか１項記載のモニターの角度調整構造。
【請求項５】
前記付勢部材は、前記モニターの裏面に対して前記固定用プレート部材を前記取り付けベースの表面側へ付勢し、
前記モニターは、前記付勢部材により付勢された前記固定用プレート部材と前記支柱の鍔部とが前記取り付けベースを挟み込むことで保持される
ことを特徴とする請求項１から請求項３のうちのいずれか１項記載のモニターの角度調整構造。
【請求項６】
前記取り付けベースの裏面および前記支柱の鍔部の一方に形成された係合凹部と、
前記取り付けベースの裏面および前記支柱の鍔部の他方に形成されて、前記付勢部材の付勢力により前記係合凹部に嵌合する係合凸部とを備え、
前記モニターは、前記係合凸部が前記係合凹部に嵌合することでスライド位置に固定される
ことを特徴とする請求項１から請求項４のうちのいずれか１項記載のモニターの角度調整構造。
【請求項７】
前記係合凹部および前記係合凸部からなるディテント構造を有することを特徴とする請求項６記載のモニターの角度調整構造。
【請求項８】
前記モニターの裏面の四隅の少なくとも対角の位置にそれぞれ設けた揺れ防止用支柱を備え、
前記取り付けベースは、前記揺れ防止用支柱に対応する位置に当該支柱より径が大きい貫通孔を有し、
前記モニターは、前記揺れ防止用支柱を前記貫通孔に挿通して保持される
ことを特徴とする請求項１から請求項４のうちのいずれか１項記載のモニターの角度調整構造。
【請求項９】
前記モニターは、画面が湾曲した湾曲ディスプレイであることを特徴とする請求項１から請求項８のうちのいずれか１項記載のモニターの角度調整構造。
【請求項１０】
前記モニターをスライドさせる駆動部を備えることを特徴とする請求項１から請求項９のうちのいずれか１項記載のモニターの角度調整構造。
【発明の詳細な説明】
【技術分野】
【０００１】
この発明は、ユーザが自分が使用するモニターの角度調整を行うことが可能なモニターの角度調整構造に関するものである。
【背景技術】
【０００２】
近年、例えば航空機の座席には乗員が映像などを楽しんだり各種情報を得ることができるよう、モニターが搭載されている。また、例えば車両内においては、運転席や助手席の人が使用するインダッシュ方式の車載用モニター以外に、後部座席に座る乗員がドライブ中に映像などを楽しむことができるよう、ＲＳＥ（Rear Seat Entertainment）が設置されている場合がある。このような場合、それぞれの乗員によって視線の位置が異なることや、外光の影響に対処するためなど、ユーザ自らが使用するモニターの角度調整をできることが望ましい。
【０００３】
通常、インダッシュ方式の車載用モニターの角度は固定されているが、例えば特許文献１には、１ＤＩＮタイプのモニター／ナビにおいて、モニターがスライドして本体から出てきて起き上がり、そのヒンジ機構部に角度調整構造を備え、モニターの角度調整を実現する装置が開示されている。
【０００４】
また、ポータブルナビではボールコネクト方式のマウントを採用しているものが多く、全方向に角度調整が可能であるため、角度調整に関しては非常に自由度が高い。図１は、このボールコネクト方式の機構を利用してインダッシュ方式のモニター２０を作成した場合のモニター２０の可動範囲を示す図である。図中２１はダッシュボード、２２はボールコネクト部、２３は回転中心を示している。
さらに、例えば図２に示すように、２軸を用いてモニターの角度調整機能を持たせることも考えられる。図中２４は第１軸、２５は第２軸、２６は第１の保持枠、２７は第２の保持枠を示している。
【先行技術文献】
【特許文献】
【０００５】
【特許文献１】特開平８−１７５２７７号公報
【発明の概要】
【発明が解決しようとする課題】
【０００６】
しかしながら、例えば特許文献１のような従来技術では、調整可能な方向が一方向のみであり、自由な角度調整ができなかった。また、例えば図１に示すようなボールコネクト方式では、図１（ｂ）の破線で示すようにモニター２０の可動範囲を大きく逃げる必要があり、モニター２０周りに隙間ができて意匠性が悪くなるという課題があった。また、ボールコネクト方式であるため、モニター２０の中心を軸とした回転方向への規制を行うことができず、モニターを正面から見た場合に、図１（ｃ）の破線で示すように、モニターの水平がずれやすいという課題もあった。さらに、例えば図２に示すような２軸を用いたモニター２０の角度調整構造では、角度調整した場合に図２（ｂ）に示すように意匠面から突出する箇所（図中、Ｐ部分やＱ部分など）が数ヵ所あり、意匠性が悪いという課題があった。
【０００７】
この発明は、上記のような課題を解決するためになされたものであり、意匠性を保ちつつ、いずれの方向にも自由に角度調整が可能なモニターの角度調整構造を提供することを目的とする。
【課題を解決するための手段】
【０００８】
上記目的を達成するため、この発明は、意匠用枠体が表面側に配置され、固定用プレート部材および取り付けベースが裏面側に配置されたモニターの角度調整構造において、前記意匠用枠体、前記モニター、前記固定用プレート部材および前記取り付けベースの互いに対向する面は、同一中心で径違いの球面でそれぞれ形成されており、前記モニターの裏面中央に設けられ、端面に鍔部を有した支柱と、前記取り付けベースに形成された前記支柱よりも径が大きいベース側貫通孔および前記固定用プレート部材に形成されたプレート側貫通孔に前記支柱を挿通させた状態で、前記支柱の鍔部と前記固定用プレート部材を付勢する付勢部材とを備え、前記モニターは、前記付勢部材の付勢力で前記支柱の鍔部と前記固定用プレート部材により、前記取り付けベースに対してスライド自在に保持されることを特徴とする。
【発明の効果】
【０００９】
この発明のモニターの角度調整構造によれば、ユーザが自在にモニターを移動させて、モニターの角度や位置の調整を容易に行うことができ、意匠性を保ちつつ、かつ、いずれの方向にも自由に角度調整を行うことができる。
【図面の簡単な説明】
【００１０】
【図１】ボールコネクト方式の機構を利用してインダッシュ方式のモニターを作成した場合のモニターの可動範囲を示す図である。
【図２】２軸を用いたモニターの角度調整構造を示す図である。
【図３】この発明の実施の形態１におけるモニター装置の全体構成を示す斜視図である。
【図４】図３に示すモニター装置の構成を示す図である。
【図５】図４に示すモニターを中央にある状態から上方向に移動させている状態を示す断面図である。
【図６】モニターを中央にある状態から移動させた場合の意匠ベゼルとモニターとの位置関係を示す動作概念図である。
【図７】モニターの四隅にも支柱がある場合のモニター装置の構成を示す図である。
【図８】この発明の実施の形態２におけるモニター装置の構成を示す断面図である。
【図９】ローレット形状（係合凹部）とリブ（係合凸部）の組合せの一例を示す図である。
【図１０】図８に示すモニターを中央にある状態から上方向に移動させている状態を示す断面図である。
【図１１】図１０に示す移動を行った後のモニターの状態を示す断面図である。
【図１２】半球（係合凸部）を先端に設けた板バネの一例を示す図である。
【図１３】ディンプル形状（係合凹部）と半球（係合凸部）を先端に設けた板バネの組合せの一例を示す図である。
【図１４】モニターをヘッドレストに取り付けた場合の適用例を示す図である。
【図１５】モニター裏にモータードライブユニットを取り付けた場合のモニター装置の概略構成を示す断面図である。
【発明を実施するための形態】
【００１１】
以下、この発明の実施の形態について、図面を参照しながら詳細に説明する。
実施の形態１．
図３は、この発明の実施の形態１におけるモニター装置の全体構成を示す斜視図であり、図３（ａ）は外観斜視図、図３（ｂ）は分解斜視図である。このモニター装置は、意匠ベゼル（意匠用枠体）１が表面側に配置され、その裏にモニター２、さらにモニター２の裏面側に固定用プレート部材４（図４参照）および取り付けベース３が配置されている。また、これら意匠ベゼル（意匠用枠体）１、モニター２、固定用プレート材４および取り付けベース３の互いに対向する面は、同一中心で径違いの球面でそれぞれ形成されている。なお、モニター２としては、通常のモニターを使用すればよいが、画面が湾曲した湾曲ディスプレイを使用することにより、さらにユーザの好みに合わせた見え方を実現することができる。
【００１２】
図４は、この図３に示すモニター装置の構成を示す図であり、図４（ａ）はモニター２が中央にある場合の正面図、図４（ｂ）は図４（ａ）におけるＡ−Ａ断面図である。この図４（ｂ）に示すとおり、モニター２の裏面中央には、端面に鍔部５１を有した支柱５が設けられ、取り付けベース３に形成された支柱５よりも径が大きいベース側貫通孔および固定用プレート部材４に形成されたプレート側貫通孔に支柱５を挿通された状態で、支柱５の鍔部５１と固定用プレート部材４を付勢するバネ（付勢部材）６が取り付けられている。
【００１３】
このバネ（付勢部材）６により、支柱５の鍔部５１に対して固定用プレート部材４を取り付けベース３の裏面側へ付勢し、モニター２とバネ（付勢部材）６により付勢された固定用プレート部材４との間で取り付けベース３を挟み込むことで、モニター２を保持している。
【００１４】
また、意匠ベゼル（意匠用枠体）１、モニター２、固定用プレート材４および取り付けベース３の互いに対向する接触面はそれぞれ、同一中心で径違いの球面で形成されており、これにより、球面の中心を基準としてモニター２が縦・横・斜めと自在にスライドすることができ、角度および位置の調整が可能となる。
【００１５】
また、モニター２の外形サイズは、意匠ベゼル（意匠用枠体）１の開口サイズよりも大きく、モニター２の可動範囲以上に設定されているため、モニター２を自在にスライドさせても、モニター２の周囲と意匠ベゼル（意匠用枠体）１の間には隙間が発生しない構造となっている（図６参照）。
【００１６】
ここで、意匠ベゼル（意匠用枠体）１とモニター２の間、モニター２と取り付けベース３の間、取り付けベース３と固定用プレート部材４との間の、互いが当接する面には、それぞれ例えばフェルト等の弾性材７（７−１，７−２，７−３）が介在されている。この弾性材７は、どちらの部材に貼り付けてもよいが、意匠性を考えるとモニター２を移動させても見えない位置、すなわち、意匠ベゼル（意匠用枠体）１とモニター２の間の弾性材７−１については意匠ベゼル（意匠用枠体）１の裏側に貼り付けるのが好ましい。この実施の形態１では、弾性材７−１は意匠ベゼル（意匠用枠体）１の裏側に、弾性材７−２は取り付けベース３の前面（表側）に、弾性材７−３は取り付けベース３の裏側に貼り付けることとする。
【００１７】
そして、この状態からモニター２を移動させる動作について、図５を用いて説明する。図５は、図４に示すモニター２を中央にある状態（図４（ａ）に示す状態）から上方向（図６（ａ）に示す矢印Ｄ方向）に移動させている状態を示す断面図である。
まず、モニター２を図５に示す矢印Ｂの方向へ押し込む。これにより、図５に示すようにモニター２と取り付けベース３の間にある弾性材７−２が図４（ｂ）の状態よりも少し押しつぶされ、その状態でモニター２を矢印Ｃの方向（上方向）へ押し上げる。その後、手を放すことにより、バネ（付勢部材）６の付勢力により弾性材７−２のつぶれ具合が戻り、モニター２が固定される。
【００１８】
図６は、モニター２を中央にある状態（図４（ａ）に示す状態）から移動させた場合の意匠ベゼル（意匠用枠体）１とモニター２との位置関係を示す動作概念図である。図６（ａ）は図５において説明したように上方向（図中の矢印Ｄ方向）に、図６（ｂ）は横（右）方向（図中の矢印Ｅ方向）に、図６（ｃ）は斜め上（斜め右上）方向（図中の矢印Ｆ方向）に、モニター２を移動させた場合を示している。この図６に示すように、モニター２を移動させても、モニター２の周囲と意匠ベゼル（意匠用枠体）１の間には隙間が発生しない。
【００１９】
この際、各部材の間の接触部分（互いに当接する面）に弾性材７が貼り付けられており、さらに裏からバネ（付勢部材）６の力で付勢してモニター２を固定していることにより、モニター２を移動させる場合の操作感が非常によく、また、樹脂と樹脂をスライドさせるときに発生するスティックスリップ現象や異音の発生を未然に防止することもできる。なお、これらを防止するために、従来は各部材の接触部分にグリスを塗布する等により対応していたが、グリスの場合には意匠面に汚れやにじみが出てきたり、手についたり、という問題があったが、弾性材７を介在させることによりそのような問題も生じない。
【００２０】
そして、弾性材７の硬さや材質を変えることにより、任意に摩擦力を調整することができるので、よりスムーズで快適な操作感が得られるように調整する等、操作感の変更を容易に行うことができる。さらに、固定用のバネ（付勢部材）６の付勢力を変えることにより操作感の変更を行うことも可能である。
【００２１】
また、図４に示すこの実施の形態１におけるモニター装置の詳細構成に加えてさらに、図７に示すように、モニター２の裏面の四隅の少なくとも対角の位置にそれぞれ揺れ防止用支柱１０を立てるようにすれば、さらにモニター２の揺れを防止することが可能である。この場合、取り付けベース３は、モニター２を支える中央の支柱５が通るための中央の貫通孔以外に、四隅の揺れ防止用支柱１０が通るための当該支柱１０より径が大きい貫通孔も有するものとする。そして、モニター２は、裏面に設けられた四隅の揺れ防止用支柱１０を取り付けベース３の四隅の貫通孔に挿通して保持される。図７（ａ）はモニター２が中央にある場合の正面図（図４（ａ）と同じ）、図７（ｂ）は図７（ａ）におけるＧ−Ｇ断面図である。なお、中央部分の断面図については、図４（ｂ）と同様であるので、図示および説明を省略する。
【００２２】
以上のように、この実施の形態１におけるモニターの角度調整構造によれば、ユーザが自在にモニターを移動させて、モニターの角度や位置の調整を容易に行うことができ、意匠性を保ちつつ、かつ、いずれの方向にも自由に角度調整を行うことができる。
また、湾曲ディスプレイのモニターを搭載することにより、さらにユーザの好みの見え方を実現することができる。
【００２３】
実施の形態２．
図８は、この発明の実施の形態２におけるモニター装置の構成を示す断面図である。なお、実施の形態１で説明したものと同様の構成には、同一の符号を付して重複した説明を省略する。以下に示す実施の形態２では、図４に示した実施の形態１の構成と比べると、取り付けベース３の裏面に図９（ａ）に示すようなローレット形状（係合凹部）８が設けられており、それと対向する面である支柱５の鍔部５１上に図９（ｂ）に示すようなリブ（係合凸部）９が設けられている。
【００２４】
この実施の形態２では、バネ（付勢部材）６は、モニター２の裏面に対して固定用プレート部材４を取り付けベース３の表面側へ付勢し、そのバネ（付勢部材）６により付勢された固定用プレート部材４と支柱５の鍔部５１とが取り付けベース３を挟み込むことで、モニター２を保持している。
そして、バネ（付勢部材）６の付勢力により、ローレット形状（係合凹部）８とリブ（係合凸部）９とが嵌合し、モニター２は、その嵌合によりスライドさせた位置に固定される。
【００２５】
図１０は、図８に示すモニター２を中央にある状態（図４（ａ）に示す状態）から上方向（図６（ａ）に示す矢印Ｄ方向）に移動させている状態を示す断面図である。
まず、モニター２を図１０に示す矢印Ｂの方向へ押し込む。これにより、図１０に示すようにバネ（付勢部材）６が縮まってモニター２が押し込まれ、取り付けベース３の裏面に設けられたローレット形状（係合凹部）８に嵌め合わされていたリブ（係合凸部）９がはずれ、意匠ベゼル（意匠用枠体）１に貼り付けられた弾性材７−１とモニター２との間に空間ができる。その状態のまま、モニター２を矢印Ｃの方向（上方向）へ押し上げる。図１０はこの時の状態を示している。
【００２６】
その後、手を放すことにより、図１１に示すようにバネ（付勢部材）６の付勢力によりモニター２が前面側に戻り、取り付けベース３の裏側のローレット形状（係合凹部）８とリブ（係合凸部）９とが、図８に示す状態からは移動した位置（図１１に示す位置）で嵌合して固定される。
なお、取り付けベース３の裏面にリブ（係合凸部）９を設け、それと対向する面である支柱５の鍔部５１上にローレット形状（係合凹部）８を設けるようにしてもよい。
【００２７】
また、この実施の形態２では、ローレット形状（係合凹部）８とリブ（係合凸部）９として説明したが、ローレット形状（係合凹部）８はそのままとし、リブ（係合凸部）９に代えて、例えば図１２に示すような半球（係合凸部）１１を先端に設けた板バネ１２を用いた組合せや、図１３に示すようなディンプル形状（係合凹部）１３と半球（係合凸部）１１を先端に設けた板バネ１２という組合せなど、係合凹部および係合凸部からなるディテント構造を有するものであってもよい。
【００２８】
図１２は、半球（係合凸部）１１を先端に設けた板バネ１２の一例を示す図であり、図１２（ａ）は、その板バネ１２を正面から見た図であり、図中の斜線部は空間（溝）を示している。
この図１２に示すような半球（係合凸部）１１を先端に設けた板バネ１２を、リブ（係合凸部）９の代わりに使用したディテント構造の場合には、モニター２を図１０に示すほど押し込まなくても、少しだけ矢印Ｂ方向に押しながら矢印Ｃ方向に移動させることにより、板バネ１２がしなる分だけ、ローレット形状（係合凹部）８と半球（係合凸部）１１とが接したまま、カチカチとした操作感を伴ってモニター２を移動させることができる。
【００２９】
また、図１３に示すようなディンプル形状（係合凹部）１３と半球（係合凸部）１１を先端に設けた板バネ１２との組合せによるディテント構造を用いることにした場合にも、ローレット形状（係合凹部）８とリブ（係合凸部）９によるものに比べて、モニター２を図１０に示すほど押し込んで完全にディンプル形状（係合凹部）１３と半球（係合凸部）１１とが離れた状態にしなくとも、少しだけ矢印Ｂ方向に押しながら矢印Ｃ方向に移動させることにより、板バネ１２がしなる分だけ、ディンプル形状（係合凹部）１３と半球（係合凸部）１１とが接したまま、カチカチとした操作感を伴ってモニター２を移動させることができる。
【００３０】
このように、取り付けベース３の裏面とそれに対向する固定面に、ローレット形状やディンプル形状などの係合凹部と、リブや半球状の突起などの係合凸部とをそれぞれ設けることにより、バネ（付勢部材）６の付勢によりそれらが嵌合して固定されるので、縦横の位置が決まりやすくなり、モニター２が画面中心を軸とした回転方向のずれを生じてしまうという不具合を規制することができる。すなわち、任意の位置にモニター２をスライドさせても、モニター２を正面から見た角度は常に水平に保つことができる。
【００３１】
以上のように、この実施の形態２におけるモニターの角度調整構造によれば、実施の形態１と同様の効果に加え、ローレット形状やディンプル形状（係合凹部）とリブや半球（係合凸部）との組合せにより、モニター移動後の角度や位置を安定した状態で固定することができる。
【００３２】
なお、実施の形態１，２におけるモニターの角度調整構造は、一般的な情報表示装置の他、従来技術で説明したようなインダッシュ方式の車載用モニターや、例えば図１４に示すようなヘッドレストへの取付けタイプの車載用モニターにも適用することができる。
また、例えば図１５に示すように、モニター２の裏にモータードライブユニット１５を縦方向、横方向へ取り付ける等、モニター２をスライドさせる駆動部を備えることにより、モニター２の動作を電動にて制御することも可能である。また、この場合には、別部品のジョイスティック等による制御や、車両からの信号による制御も可能である。
【００３３】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３４】
１  意匠ベゼル（意匠用枠体）、２，２０  モニター、３  取り付けベース、４  固定用プレート、５  中央の支柱、６  バネ（付勢部材）、７，７−１，７−２，７−３  弾性材、８  ローレット形状（係合凹部）、９  リブ（係合凸部）、１０  四隅の揺れ防止用支柱、１１  半球（係合凸部）、１２  板バネ、１３  ディンプル形状（係合凹部）、１４  ギア面、１５  モータードライブユニット、２１  ダッシュボード、２２  ボールコネクト部、２３  回転中心、２４  第１軸、２５  第２軸、２６  第１の保持枠、２７  第２の保持枠、５１  支柱５の鍔部。
【図１】
2013241047.tif 000003
【図２】
2013241047.tif 000004
【図３】
2013241047.tif 000005
【図４】
2013241047.tif 000006
【図５】
2013241047.tif 000007
【図６】
2013241047.tif 000008
【図７】
2013241047.tif 000009
【図８】
2013241047.tif 000010
【図９】
2013241047.tif 000011
【図１０】
2013241047.tif 000012
【図１１】
2013241047.tif 000013
【図１２】
2013241047.tif 000014
【図１３】
2013241047.tif 000015
【図１４】
2013241047.tif 000016
【図１５】
2013241047.tif 000017